(57)【要約】【課題】グリーニッシュモードが発生し難いＦＦＳ方式の液晶表示装置を実現する。【解決手段】共通電極（２）の下側端部に電気的に接続されている下側入力電極（２１）と、共通電極（２）の上側端部に電気的に接続されている上側入力電極（２２）および出力電極（２５）とは、共通電極（２）を通じてのみ互いに電気的に接続されている。【選択図】図２
2019090939.tif 000002
【特許請求の範囲】
【請求項１】
表示装置のためのアクティブマトリックス基板であって、
（ａ）複数の走査信号線と、（ｂ）上記走査信号線と交差する複数のデータ信号線と、（ｃ）上記走査信号線および上記データ信号線と重畳すると共に、透明導電材料から形成された共通電極と、が配設されている表示領域と、
（ａ）上記共通電極の第１端部に電気的に接続されている第１入力電極と、（ｂ）上記共通電極における上記第１端部の反対側の端部である第２端部に電気的に接続されている第２入力電極と、（ｃ）上記第２端部に電気的に接続されている出力電極と、が配設されている額縁領域と、を備え、
上記第１入力電極、上記第２入力電極、および上記出力電極は、上記共通電極を通じてのみ互いに電気的に接続されていることを特徴とするアクティブマトリックス基板。
【請求項２】
上記額縁領域にはさらに、上記共通電極における上記第１端部と上記第２端部との間の端部である第３端部に電気的に接続されている第３入力電極が配設されており、
上記第３入力電極は、上記第１入力電極、上記第２入力電極および上記出力電極に上記共通電極を通じてのみ電気的に接続されていることを特徴とする請求項１に記載のアクティブマトリックス基板。
【請求項３】
上記額縁領域には帰還回路が実装されており、
上記帰還回路は、
上記第１入力電極に第１入力信号を、上記第１入力信号が制御目標と一致するように、供給し、
上記第２入力電極に第２入力信号を供給し、
上記出力電極から出力信号を供給され、
上記出力信号が上記制御目標と一致するように、上記第２入力信号を帰還制御することを特徴とする請求項１または２に記載のアクティブマトリックス基板。
【請求項４】
上記額縁領域には帰還回路が、実装されており、
上記帰還回路は、
上記第１入力電極に第１入力信号を、上記第１入力信号が制御目標と一致するように、供給し、
上記第２入力電極に第２入力信号を供給し、
上記出力電極から出力信号を供給され、
上記出力信号が制御目標と一致するように、上記第２入力信号を帰還制御し、
上記第３入力電極に第３入力信号を、上記第３入力信号が上記第３入力電極において上記制御目標と一致するように、供給することを特徴とする請求項２に記載のアクティブマトリックス基板。
【請求項５】
上記帰還回路が実装される上記額縁領域の部分領域と、上記共通電極の上記第２端部と、の間に、上記共通電極の上記第１端部が位置する請求項３または４に記載のアクティブマトリックス基板。
【請求項６】
請求項１〜５の何れか１項に記載のアクティブマトリックス基板と、
対向基板と、
上記アクティブマトリックス基板と対向基板との間に挟持された液晶と、を備える表示装置。
【請求項７】
請求項１または２に記載のアクティブマトリックス基板を制御するための制御方法であって、
上記第１入力電極に第１入力信号を、上記第１入力信号が制御目標と一致するように、供給し、
上記第２入力電極に第２入力信号を供給し、
上記出力電極から出力信号が供給され、
上記出力信号が上記第１入力信号と一致するように、上記第２入力信号を帰還制御する制御方法。
【請求項８】
請求項２に記載のアクティブマトリックス基板を制御するための制御方法であって、
上記第１入力電極に第１入力信号を、上記第１入力信号が制御目標と一致するように、供給し、
上記第２入力電極に第２入力信号を供給し、
上記出力電極から出力信号が供給され、
上記出力信号が上記第１入力信号と一致するように、上記第２入力信号を帰還制御し、
上記第３入力電極に第３入力信号を、上記第３入力信号が上記第３入力電極において上記制御目標と一致するように、供給する制御方法。
【発明の詳細な説明】
【技術分野】
【０００１】
本発明は、アクティブマトリックス基板、表示装置、および制御方法に関する。
【背景技術】
【０００２】
今日、フリンジフィールドスイッチング（Fringe Field Switching，ＦＦＳ）方式などの様々な液晶表示方式が知られている。液晶は、画素電極（表示電極とも称される）と共通電極（対向電極とも称される）との間の電位差（いわゆる駆動電圧）によって駆動される。このため、画素電極の電位と同様に、共通電極の電位も重要である。
【０００３】
例えば、特許文献１は、リフレッシュ期間の長さに応じて、共通電極の電位のレベルを異ならせる構成を開示している。
【先行技術文献】
【特許文献】
【０００４】
【特許文献１】特開２００２−１１６７３９号公報（２００２年４月１９日公開）
【発明の概要】
【発明が解決しようとする課題】
【０００５】
しかしながら、従来のＦＦＳ方式の液晶表示装置では、（１）画素電極と画素電極を駆動するための走査信号線およびデータ信号線とが、共通電極と同一基板上で重畳しているので、共通電極と走査信号線およびデータ信号線との間の寄生容量によって、および（２）共通電極は、導電率が低い透明導電材料から形成されているので、電気抵抗による信号遅延によって、従来のＦＦＳ方式の液晶表示装置では、共通電極の電位が揺らぐという問題がある。共通電極の電位が揺らぐことによって、駆動電圧が不安定になり、表示画像が色付いて見えるという問題が生じる。このような表示画像の色付きは、緑色（green）に見えることが多いので、グリーニッシュ（greenish）モードと称される。
【０００６】
本発明の一態様は、グリーニッシュモードが発生し難いＦＦＳ方式の液晶表示装置を実現することを目的とする。
【課題を解決するための手段】
【０００７】
上記の課題を解決するために、本発明の一態様に係るアクティブマトリックス基板は、表示装置のためのアクティブマトリックス基板であって、（ａ）複数の走査信号線と、（ｂ）上記走査信号線と交差する複数のデータ信号線と、（ｃ）上記走査信号線および上記データ信号線と重畳すると共に、透明導電材料から形成された共通電極と、が配設されている表示領域と、（ａ）上記共通電極の第１端部に接続されている第１入力電極と、（ｂ）上記共通電極における上記第１端部の反対側の端部である第２端部に接続されている第２入力電極と、（ｃ）上記第２端部に接続されている出力電極と、が配設されている額縁領域と、を備え、上記第１入力電極、上記第２入力電極、および上記出力電極は、上記共通電極を通じてのみ互いに接続されている構成である。
【発明の効果】
【０００８】
本発明の一態様によれば、グリーニッシュモードが発生し難いＦＦＳ方式の液晶表示装置を実現できる。
【図面の簡単な説明】
【０００９】
【図１】本発明の幾つかの実施形態に係る液晶表示装置の概略構成の一例を示す図である。
【図２】本発明の一実施形態に係る図１に示したアクティブマトリックス基板の概略構成の一例を示す図であり、共通電極２に入力される入力信号と共通電極２から出力される出力信号とを示す図でもある。
【図３】図２に示す構成例における共通電極の電位を、直流電位を示す目標波形に保持することを制御目標とする制御例を示すための図である。
【図４】本発明の別の一実施形態に係る図１に示したアクティブマトリックス基板の概略構成の一例を示す図であり、共通電極に入力される入力信号と共通電極から出力される出力信号とを示す図でもある。
【図５】図４に示す構成例における共通電極の電位を、目標波形に保持することを制御目標とする制御例における第３入力信号および第４入力信号の減衰前と減衰後の波形例を示すための図である。
【図６】本発明の対比例のアクティブマトリックス基板１４０の概略構成の一例を示す図である。
【図７】図６に示す対比例における共通電極の電位を、目標波形に保持することを制御目標とする制御例を示すための図である。図７（ａ）は、第１入力信号および第２入力信号が目標波形である場合の制御例を示す図であり、図７（ｂ）は、第２出力信号が目標波形である場合の制御例を示す図である。
【発明を実施するための形態】
【００１０】
〔実施形態１〕
以下、本発明の一実施形態について、詳細に説明する。
【００１１】
図１は、実施形態１に係る液晶表示装置１００の概略構成の一例を示す図である。
【００１２】
図１に示すように、実施形態１に係る液晶表示装置１００は、アクティブマトリックス基板４０、対向基板（非図示）、および対向基板とアクティブマトリックス基板４０との間に挟持された液晶（非図示）などを備える構成であってもよい。実施形態１に係る液晶表示装置１００は、ＦＦＳ方式の液晶表示装置である。
【００１３】
（アクティブマトリックス基板）
アクティブマトリックス基板４０は、絶縁基板１を含み、表示領域３と、表示領域３を囲む額縁領域２０と、を備えるＦＦＳ方式のためのアクティブマトリックス基板である。
【００１４】
表示領域３には、複数の走査信号線Ｇと、走査信号線Ｇと交差する複数のデータ信号線Ｓと、走査信号線Ｇとデータ信号線Ｓとの各交点に対応するスイッチング素子（不図示）と、各スイッチング素子に対応する画素電極（不図示）と、が配設されている。走査信号線Ｇおよびデータ信号線Ｓは、銅またはタングステンなど金属から形成される。スイッチング素子は、例えば、薄膜トランジスタなどである。
【００１５】
表示領域３には、さらに、共通電極２と、走査信号線Ｇおよびデータ信号線Ｓと共通電極２との間に挟まれている絶縁層（不図示）と、が配設されている。共通電極２は、走査信号線Ｇ、データ信号線Ｓ、スイッチング素子、および画素電極と重畳しており、通常、表示領域３の全面の可能な限り広い範囲を覆うように形成されている。共通電極２は、酸化インジウムチタン（ＩＴＯ）など透明導電材料から形成される。このような透明導電材料は、通常、金属酸化物であるため、金属と比較して電気伝導率が低い。共通電極２は、通常、表示領域３よりも一回り広く形成される。
【００１６】
額縁領域２０には、走査信号線Ｇを駆動するための駆動回路ＧＤと、走査信号線ＳＤを駆動するための駆動回路ＳＤと、共通電極２に供給する電位を帰還制御するための帰還回路３０と、が実装されている。各回路ＧＤ，ＳＤ，３０は、絶縁基板１にモノシリックに形成されてもよいし、あるいは、別基板に形成されてもよい。図１は、帰還回路３０が別基板に形成されて、帰還回路実装領域３１（額縁領域２０の部分領域）に実装される構成例を示す。
【００１７】
額縁領域２０には、さらに、図２を参照して後述する配線，電極および端子が配設されている。額縁領域２０には、その他の構成要素が配設または実装されていてもよい。
【００１８】
図２は、実施形態１に係る図１に示したアクティブマトリックス基板４０の概略構成の一例を示す図である。図２においては、共通電極２と共通電極２の電位の制御のための構成要素のみを図示し、その他の構成要素の図示を省略した。
【００１９】
図２に示すように、額縁領域２０には、電極２１〜２４と配線４，６〜９と端子１０〜１４とが配設されている。また、額縁領域２０の共通電極２に対して下側に位置する部分が、帰還回路３０を実装するための帰還回路実装領域３１であり、端子１０〜１４は、帰還回路実装領域３１内に配設されている。
【００２０】
下側入力電極２１（第１入力電極）は、共通電極２の下側端部（第１端部）に電気的に接続されており、下側入力配線８（第１入力配線）を通じて下側入力端子１４（第１入力端子）に電気的に接続されている。共通電極２の下側端部は、共通電極２の端部の内で、帰還回路実装領域３１に最も近い端部である。
【００２１】
上側入力電極２２（第２入力電極）は、共通電極２の上側端部（第２端部）に電気的に接続されており、上側入力配線４（第２入力配線）を通じて上側入力端子１０（第２入力端子）に電気的に接続されている。共通電極２の上側端部は、共通電極２の端部の内で、帰還回路実装領域３１に最も遠い端部である。また、共通電極２の上側端部は、共通電極２の下側端部の反対側に位置する。
【００２２】
左側入力電極２３（第３入力電極）は、共通電極２の左側端部（第３端部）に電気的に接続されており、左側入力配線６（第３入力配線）を通じて左側入力端子１２（第３入力端子）に電気的に接続されている。共通電極２の左側端部は、共通電極２の上側端部と下側端部との間に位置する。
【００２３】
右側入力電極２４（第４入力電極）は、共通電極２の右側端部（第４端部）に電気的に接続されており、右側入力配線７（第４入力配線）を通じて右側入力端子１３（第４入力端子）に電気的に接続されている。共通電極２の右側端部は、共通電極２の上側端部と下側端部との間に位置する。また、共通電極２の右側端部は、共通電極２の左側端部の反対側に位置する。
【００２４】
出力電極２５は、共通電極２の上側端部（第２端部）に電気的に接続されており、出力配線９を通じて出力端子１１に電気的に接続されている。
【００２５】
さらに、図２に示す構成例においては、下側入力電極２１が、左側入力電極２３および右側入力電極２４に電気的に接続されている。この電気的接続は、例えば、図２に示すように、下側入力配線８が左側入力配線６および右側入力配線７を通じて間接的に接続されることによって実現されてもよい。あるいは、この電気的接続は、例えば、図示しないが、下側入力電極２１が、左側入力電極２３および右側入力電極２４と一体に形成されることによって実現されてもよい。下側入力電極２１が、左側入力電極２３および右側入力電極２４に電気的に接続されているので、左側入力端子１２および右側入力端子１３は、下側入力端子１４と一体であってもよい。
【００２６】
共通電極２は、透明導電材料から形成されているので、電気伝導率が比較的低い。このため、共通電極２を介してのみ電気的に接続されている２つの電極は、その間の電気抵抗が大きいので、電位が異なることができる。このように電位が互いに異なることができる２つの電極は、いわゆる、互いから電気的に分離している電極と見做すことができる。一方、電気伝導率が比較的低い配線４，６〜９を介して、または直接的に接続されている２つの電極は、その間の電気抵抗が小さいので、電位がほぼ同じになる。このように電位が互いにほぼ同じになる２つの電極は、いわゆる、互いに電気的に接続している電極である。
【００２７】
例えば、図２に示す構成例において、下側入力電極２１は、上側入力電極２２と出力電極２５とから電気的に分離していると見做すことができる。また、上側入力電極２２は、下側入力電極２１と左側入力電極２３と右側入力電極２４と出力電極２５とから電気的に分離していると見做すことができる。左側入力電極２３は、上側入力電極２２と出力電極２５とから電気的に分離していると見做すことができる。右側入力電極２４は、上側入力電極２２と出力電極２５とから電気的に分離していると見做すことができる。出力電極２５は、下側入力電極２１と上側入力電極２２と左側入力電極２３と右側入力電極２４と出力電極２５とから電気的に分離していると見做すことができる。
【００２８】
また、共通電極２は、電気伝導率が比較的低いので、共通電極２内での信号遅延が発生しやすく、電位の揺らぎを収めるために時間を要する。要する時間は、通常、走査信号線Ｇが各々駆動する各走査信号線駆動期間よりも長いため、共通電極２の電位を共通電極全体にわたって略一定の電位に保持することが困難であり、電位の揺らぎが表示画像に視認可能なほど影響する。さらに、共通電極２と走査信号線Ｇおよびデータ信号線Ｓとが絶縁基板１上に形成されているので、共通電極２と走査信号線Ｇおよびデータ信号線Ｓとの間の間隔が狭く、その間の寄生容量大きい。この寄生容量によって、共通電極２内での電位変動がさら発生しやすい。
【００２９】
（入力信号と出力信号）
図２は、実施形態１に係る図１に示した共通電極２に入力される入力信号と、共通電極２から出力される出力信号とを示す図でもある。
【００３０】
帰還回路３０は、端子１０〜１４と電気的に接続するように、はんだまたはろう材などによって、帰還回路実装領域３１に実装される。また、帰還回路実装領域３１は、共通電極２に対して下側に位置する額縁領域２０の部分である。
【００３１】
このため、帰還回路３０は、下側入力端子１４および下側入力配線８を通じて、第１入力信号Ｉｎｐｕｔ＿１を下側入力電極２１に供給することができる。下側入力電極２１は、共通電極２の下側端部に第１入力信号Ｉｎｐｕｔ＿１を入力することができる。図２では、共通電極２の下側端部に接続された出力電極は、配設されていないが、このような出力電極が配設されてもよい。第１出力信号Ｏｕｔｐｕｔ＿１は、共通電極２の下側端部に接続されている出力電極から出力されるだろう出力信号である。下側入力電極２１と下側入力端子１４との間の下側入力配線８の配線距離は、入力配線４，６〜８のうちで最も短い。このため、下側入力電極２１と下側入力端子１４との間の電気抵抗が最も小さいので、第１出力信号Ｏｕｔｐｕｔ＿１は、第１入力信号Ｉｎｐｕｔ＿１と同一でありやすい。
【００３２】
また、帰還回路３０は、上側入力端子１０および上側入力配線４を通じて、第２入力信号Ｉｎｐｕｔ＿２を上側入力電極２２に供給することができる。上側入力電極２２は、共通電極２の上側端部に第２入力信号Ｉｎｐｕｔ＿２を入力することができる。共通電極２の上側端部は、出力電極２５に第２出力信号Ｏｕｔｐｕｔ＿２を出力することができる。出力電極２５は、出力端子１１および出力配線９を通じて、第２出力信号Ｏｕｔｐｕｔ＿２を帰還回路３０に供給することができる。上側入力電極２２と上側入力端子１０との間の下側入力配線８の配線距離は、入力配線４，６〜８のうちで最も長い。このため、上側入力電極２２と上側入力端子１０との間の電気抵抗が最も大きいので、第２出力信号Ｏｕｔｐｕｔ＿２は、第２入力信号Ｉｎｐｕｔ＿２と異なりやすい。
【００３３】
また、帰還回路３０は、左側入力端子１２および左側入力配線６を通じて、第３入力信号Ｉｎｐｕｔ＿３を左側入力電極２３に供給することができる。左側入力電極２３は、共通電極２の左側端部に第３入力信号Ｉｎｐｕｔ＿３を入力することができる。
【００３４】
また、帰還回路３０は、右側入力端子１３および右側入力配線７を通じて、第４入力信号Ｉｎｐｕｔ＿４を右側入力電極２４に供給することができる。右側入力電極２４は、共通電極２の右側端部に第４入力信号Ｉｎｐｕｔ＿４を入力することができる。
【００３５】
図２に示す構成例において、第３入力信号Ｉｎｐｕｔ＿３および第４入力信号Ｉｎｐｕｔ＿４は、第１入力信号Ｉｎｐｕｔ＿１と略同一である。また、第１入力信号Ｉｎｐｕｔ＿１、第２入力信号Ｉｎｐｕｔ＿２、第１出力信号Ｏｕｔｐｕｔ＿１、および第２出力信号Ｏｕｔｐｕｔ＿２は、互いに異なることができる。
【００３６】
（対比例）
図６は、本発明の対比例のアクティブマトリックス基板１４０の概略構成の一例を示す図である。図６においても、共通電極１０２と共通電極１０２の電位の制御のための構成要素のみを図示し、その他の構成要素の図示を省略した。
【００３７】
図６に示すように、対比例のアクティブマトリックス基板１４０は、絶縁基板１０１を含み、表示領域１０３と額縁領域１２０とを備えるＦＦＳ方式のためのアクティブマトリックス基板である。
【００３８】
表示領域１０３には、共通電極１０２と絶縁層（不図示）とが配設されている。
【００３９】
額縁領域１２０には、電極１２１〜１２４と配線１０４，１０６〜１０９と端子１１０〜１１４とが配設されている。また、額縁領域１２０の一部が、帰還回路を実装するための帰還回路実装領域１３１であり、端子１１０〜１１４は、帰還回路実装領域１３１内に配設されている。
【００４０】
図２と図６とを比較すると、対比例のアクティブマトリックス基板１４０は、上側電極１２２が配線１０６〜１０８を通じて、下側電極１２１と左側電極１２３と右側電極１２４とに電気的に接続している点において、本実施形態のアクティブマトリックス基板４０から異なる。一方、対比例のアクティブマトリックス基板１４０は、その他の点において、本実施形態のアクティブマトリックス基板４０と同一構成である。
【００４１】
このため、図２に示す構成において、上側電極１２２から共通電極１０２へ入力される第２入力信号Ｉｎｐｕｔ＿１０２、左側電極１２３から共通電極１０２へ入力される第３入力信号Ｉｎｐｕｔ＿１０３、および右側電極１２４から共通電極１０２へ入力される第４入力信号Ｉｎｐｕｔ＿１０４は、下側電極１２１から共通電極１０２へ入力される第１入力信号Ｉｎｐｕｔ＿１０１と同一信号である。
【００４２】
図７は、図６に示す対比例における共通電極１０２の電位を、目標波形Ｌ＿１に保持することを制御目標とする制御例を示すための図である。なお、第３入力信号Ｉｎｐｕｔ＿１０３および第４入力信号Ｉｎｐｕｔ＿１０４は、省略した。目標波形Ｌ＿１は、本明細書においては、略一定の電位（直流電位）を示す平坦波形である。
【００４３】
図７（ａ）は、第１入力信号Ｉｎｐｕｔ＿１０１および第２入力信号Ｉｎｐｕｔ＿１０２が目標波形Ｌ＿１である場合の制御例を示す図である。この場合、第１出力信号Ｏｕｔｐｕｔ＿１０１は、目標波形Ｌ＿１になる。しかし、第２出力信号Ｏｕｔｐｕｔ＿１０２は、寄生容量および信号遅延によって、走査信号線Ｇおよびデータ信号線Ｓの駆動に影響されるので、波打った電位（交流電位）を示す変動波形Ｌ＿２になる。
【００４４】
図７（ｂ）は、第２出力信号Ｏｕｔｐｕｔ＿１０２が目標波形Ｌ＿１である場合の制御例を示す図である。この場合、第１入力信号Ｉｎｐｕｔ＿１０１および第２入力信号Ｉｎｐｕｔ＿１０２として、逆位相に波打った電位を示す逆変動波形Ｌ＿３を入力する。逆変動波形Ｌ＿３は、寄生容量および信号遅延による影響を受けた変動波形Ｌ＿２を相殺して、目標波形Ｌ＿１になる波形である。しかし、第１出力信号Ｏｕｔｐｕｔ＿１０１は、影響されていなかったので、逆変動波形Ｌ＿３になる。
【００４５】
上述のように、対比例のアクティブマトリックス基板１４０では、第１出力信号Ｏｕｔｐｕｔ＿１０１および第２出力信号Ｏｕｔｐｕｔ＿１０２の片方のみを、目標波形Ｌ＿１にすることはできるが、しかし、両方を目標波形Ｌ＿１にすることはできない。すなわち、共通電極１０２の電位を、全体にわたって略均一に保持することができない。
【００４６】
（帰還制御）
図３は、図２に示す構成例における共通電極２の電位を、略一定の電位（直流電位）を示す目標波形Ｌ＿１に保持することを制御目標とする制御例を示すための図である。なお、第３入力信号Ｉｎｐｕｔ＿３および第４入力信号Ｉｎｐｕｔ＿４は、省略した。また、走査信号線Ｇおよびデータ信号線Ｓが駆動されている。
【００４７】
例えば、図３に示すように、帰還回路３０は、第２出力信号Ｏｕｔｐｕｔ＿２が目標波形Ｌ＿１と略一致するように、第２入力信号Ｉｎｐｕｔ＿２を帰還制御することができる。このような帰還制御によって、帰還回路３０が供給する第２入力信号Ｉｎｐｕｔ＿２は、走査信号線Ｇおよびデータ信号線Ｓの駆動の影響を相殺する逆変動波形Ｌ＿３であることができる。上述したように、図２に示す構成例において、第１入力信号Ｉｎｐｕｔ＿１および第２入力信号Ｉｎｐｕｔ＿２は、互いに異なることができる。このため、帰還回路３０は、同時に、第１入力信号Ｉｎｐｕｔ＿１を、第１入力信号Ｉｎｐｕｔ＿１が目標波形Ｌ＿１と一致するように供給することができる。すなわち、帰還回路３０は、共通電極２の上側端部およびその近傍の電位を、その他の部分（共通電極２の下側端部および中央部）から独立に、すなわち局所的に、帰還制御することができる。
【００４８】
なお、共通電極２の下側端部に接続された出力電極が配設されている場合、帰還回路３０は、第１出力信号Ｏｕｔｐｕｔ＿１が目標波形Ｌ＿１と略一致するように、第１入力信号Ｉｎｐｕｔ＿１を帰還制御してもよい。換言すると、帰還回路３０は、共通電極２の下側端部およびその近傍の電位を、局所的に帰還制御してもよい。
【００４９】
図３に示すような制御によって、第１出力信号Ｏｕｔｐｕｔ＿１と第２出力信号Ｏｕｔｐｕｔ＿２との両方が、目標波形Ｌ＿１と一致することができる。
【００５０】
（効果）
上述のように、実施形態１に係るアクティブマトリックス基板４０において、帰還回路３０は、第１入力信号Ｉｎｐｕｔ＿１および第２入力信号Ｉｎｐｕｔ＿２を独立に供給および制御することができる。このため、帰還回路は、第１入力信号Ｉｎｐｕｔ＿１が目標波形Ｌ＿１と一致するように、第１入力信号Ｉｎｐｕｔ＿１を供給すると同時に、第２出力信号Ｏｕｔｐｕｔ＿２が目標波形Ｌ＿１と一致するように、第２入力信号Ｉｎｐｕｔ＿２を帰還制御することができる。このような局所的な帰還制御によって、寄生容量および信号遅延による共通電極２への影響が相殺される。このため、共通電極２の電位は、全体にわたって、目標波形Ｌ＿１が示す制御目標の電位に安定的に保持されることができる。
【００５１】
アクティブマトリックス基板４０を備える液晶表示装置１００によれば、共通電極２の電位が安定的に保持されるので、画素を駆動する駆動電圧も安定的になり、グリーニッシュモードが発生し難い。
【００５２】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００５３】
図１は、実施形態２に係る液晶表示装置１００の概略構成の一例を示す図でもある。
【００５４】
図４は、実施形態２に係る図１に示したアクティブマトリックス基板４０の概略構成の一例を示す図であり、共通電極２に入力される入力信号と、共通電極２から出力される出力信号とを示す図でもある。図４においては、共通電極２と共通電極２の電位の制御のための構成要素のみを図示し、その他の構成要素の図示を省略した。
【００５５】
図２と図４とを比較すると、実施形態２に係るアクティブマトリックス基板４０は、左側入力電極２３と右側入力電極２４と下側入力電極２１とが、互いから電気的に分離していると見做すことができる点において、前述の実施形態１に係るアクティブマトリックス基板４０から異なる。一方、実施形態２に係るアクティブマトリックス基板４０は、その他の点において、前述の実施形態１に係るアクティブマトリックス基板４０と同一構成である。
【００５６】
このため、図４に示す構成例において、第１入力信号Ｉｎｐｕｔ＿１、第２入力信号Ｉｎｐｕｔ＿１、第３入力信号Ｉｎｐｕｔ＿３および第４入力信号Ｉｎｐｕｔ＿４は、互いに異なることができる。
【００５７】
左側入力電極２３は、正確には、左側入力電極２３と左側入力端子１２との間の左側入力配線６の配線抵抗によって減衰した第３入力信号Ｉｎｐｕｔ＿３を、共通電極２の左側端部に入力する。下側入力電極２１は、正確には、下側入力電極２１と下側入力端子１４との間の下側入力配線８の配線抵抗によって減衰した第１入力信号Ｉｎｐｕｔ＿１を、共通電極２の左側端部に入力する。左側入力電極２３と左側入力端子１２との間の左側入力配線６の配線距離は、下側入力電極２１と下側入力端子１４との間の下側入力配線８の配線距離よりも長い。
【００５８】
これらのため、図２に示す構成例において、左側入力電極２３から共通電極２に入力される第３入力信号Ｉｎｐｕｔ＿３は、正確には、下側入力電極２１から共通電極２に入力される第１入力信号Ｉｎｐｕｔ＿１よりも、減衰した信号であった。同様に、右側入力電極２４から共通電極２に入力される第４入力信号Ｉｎｐｕｔ＿４も、正確には、下側入力電極２１から共通電極２に入力される第１入力信号Ｉｎｐｕｔ＿１よりも、減衰した信号であった。したがって、第１入力信号Ｉｎｐｕｔ＿１が、下側入力電極２１までの配線抵抗による減衰後に、目標波形Ｌ＿１に一致するように供給されている場合、第３入力信号Ｉｎｐｕｔ＿３および第４入力信号Ｉｎｐｕｔ＿４は、左側入力電極２３および右側入力電極２４までの配線抵抗による減衰後に、目標波形Ｌ＿１と不一致になる。
【００５９】
一方、図４に示す構成例においては、帰還回路３０は、第３入力信号Ｉｎｐｕｔ＿３および第４入力信号Ｉｎｐｕｔ＿４を、第１入力信号Ｉｎｐｕｔ＿１から独立に供給できる。このため、帰還回路３０は、配線抵抗による減衰を見込んで第３入力信号Ｉｎｐｕｔ＿３および第４入力信号Ｉｎｐｕｔ＿４を増幅できる。
【００６０】
図５は、図４に示す構成例における共通電極２の電位を、目標波形Ｌ＿１に保持することを制御目標とする制御例における第３入力信号Ｉｎｐｕｔ＿３および第４入力信号Ｉｎｐｕｔ＿４の減衰前と減衰後の波形例を示すための図である。
【００６１】
図５に示すように、配線抵抗による減衰後の第３入力信号Ｉｎｐｕｔ＿３および第４入力信号Ｉｎｐｕｔ＿４の波形が、制御目標の目標波形Ｌ＿１となるように、帰還回路３０は、目標波形Ｌ＿１を増幅した増幅波形Ｌ＿４で第３入力信号Ｉｎｐｕｔ＿３および第４入力信号Ｉｎｐｕｔ＿４を供給することができる。このような増幅によって、図４に示す構成例において、第１入力信号Ｉｎｐｕｔ＿１、第３入力信号Ｉｎｐｕｔ＿３および第４入力信号Ｉｎｐｕｔ＿４は、下側入力電極２１、左側入力電極２３および右側入力電極２４までの配線抵抗による減衰後に、目標波形Ｌ＿１と一致できる。このような一致は、共通電極２の電位を、全体にわたって略均一に保持することを助けるので、好ましい。
【００６２】
なお、前述の実施形態１および本実施形態２において、第１入力信号Ｉｎｐｕｔ＿１も、配線抵抗による第１入力信号Ｉｎｐｕｔ＿１の減衰を見込んで、第１入力電極２１までの配線抵抗による減衰後の第１入力信号Ｉｎｐｕｔ＿１が目標波形Ｌ＿１に一致するように、帰還回路３０から供給されることが好ましい。また、第２入力信号も、配線抵抗による出力信号Ｏｕｔｐｕｔ＿２および第２入力信号Ｉｎｐｕｔ＿２の減衰を見込んで、減衰前の出力信号Ｏｕｔｐｕｔ＿２が目標波形Ｌ＿１に一致するように、帰還制御されることが好ましい。
【００６３】
〔まとめ〕
本発明の態様１に係るアクティブマトリックス基板（４０）は、表示装置（１００）のためのアクティブマトリックス基板であって、複数の走査信号線（Ｇ）と、上記走査信号線と交差する複数のデータ信号線（Ｓ）と、上記走査信号線および上記データ信号線と重畳すると共に、透明導電材料から形成された共通電極（２）と、が配設されている表示領域（３）と、上記共通電極の第１端部（下側端部）に電気的に接続されている第１入力電極（下側入力電極２１）と、上記共通電極における上記第１端部の反対側の端部である第２端部（上側端部）に電気的に接続されている第２入力電極（上側入力電極２２）と、上記第２端部に電気的に接続されている出力電極（２５）と、が配設されている額縁領域（２０）と、を備え、上記第１入力電極、上記第２入力電極、および上記出力電極は、上記共通電極を通じてのみ互いに電気的に接続されている構成である。
【００６４】
上記構成によれば、共通電極は、透明導電材料から形成されているので、電気伝導率が比較的低い。また、上記構成によれば、第１入力電極、第２入力電極、および出力電極は、上記共通電極を通じてのみ互いに電気的に接続されている構成である。これらのため、第１入力電極、第２入力電極、および出力電極は、入力または出力する信号が互いに異なることができ、電位が互いに異なることができる。すなわち、第１入力電極、第２入力電極、および出力電極は、互いから電気的に分離していると見做すことができる。
【００６５】
このように見做される電気的な分離によって、第１入力電極から共通電極に入力する第１入力信号と、第２入力電極から共通電極に入力する第２入力信号と、が独立に供給されることができる。例えば、共通電極の第１端部と第２端部との両方の電位が制御目標の電位に一致するように、第１入力信号および／または第２入力信号が帰還制御されることができる。このような局所的な帰還制御によって、共通電極の電位は、全体にわたって、制御目標の電位に安定的に保持されることができる。
【００６６】
したがって、上記構成のアクティブマトリックス基板を備える液晶表示装置によれば、共通電極の電位が安定的に保持されるので、画素を駆動する駆動電圧も安定的になり、グリーニッシュモードが発生し難い。
【００６７】
本発明の態様２に係るアクティブマトリックス基板（４０）は、上記態様１において、上記額縁領域（２０）にはさらに、上記共通電極（２）における上記第１端部（下側端部）と上記第２端部（上側端部）との間の端部である第３端部（左側端部）に電気的に接続されている第３入力電極（左側入力電極２３）が配設されており、上記第３入力電極は、上記第１入力電極（下側入力電極２１）、上記第２入力電極（上側入力電極２２）および上記出力電極（２５）に上記共通電極を通じてのみ電気的に接続されている構成であってもよい。
【００６８】
上記構成によれば、第３入力電極は、第１入力電極、第２入力電極、および出力電極から電気的に分離していると見做すことができる。このように見做される電気的な分離によって、第３入力電極から共通電極に入力する第３入力信号が、第１入力信号および第２入力信号から独立に供給されることができる。例えば、第１入力電極までの配線抵抗による減衰後の第１入力信号と、第３入力電極までの配線抵抗による減衰後の第３入力信号と、の両方が、制御目標と一致するように、第１入力信号と第３入力信号とが供給されることができる。
【００６９】
本発明の態様３に係るアクティブマトリックス基板（４０）は、上記態様２において、上記額縁領域（２０）にはさらに、上記共通電極（２）における上記第１端部（下側端部）と上記第２端部（上側端部）との間の別の端部であって、上記第３端部（左側端部）の反対側の端部である第４端部（右側端部）に電気的に接続されている第４入力電極（右側入力電極２４）が配設されており、上記第４入力電極は、上記第１入力電極（下側入力電極２１）、上記第２入力電極（上側入力電極２２）、上記第３入力電極（左側入力電極２３）および上記出力電極（２５）に上記共通電極を通じてのみ電気的に接続されている構成であってもよい。
【００７０】
上記構成によれば、第４入力電極は、第１入力電極、第２入力電極、第３入力電極、および出力電極から電気的に分離していると見做すことができる。このように見做される電気的な分離によって、第４入力電極から共通電極に入力する第４入力信号が、第１入力信号、第２入力信号および第３入力信号から独立に供給されることができる。例えば、第１入力電極までの配線抵抗による減衰後の第１入力信号と、第４入力電極までの配線抵抗による減衰後の第４入力信号と、の両方が、制御目標と一致するように、第１入力信号と第４入力信号とが供給されることができる。
【００７１】
本発明の態様４に係るアクティブマトリックス基板（４０）は、上記態様１〜３の何れかにおいて、上記額縁領域（２０）には帰還回路（３０）が実装されており、上記帰還回路は、上記第１入力電極（下側入力電極２１）に第１入力信号（Ｉｎｐｕｔ＿１）を、上記第１入力信号が制御目標（目標波形Ｌ＿１）と一致するように、供給し、上記第２入力電極（上側入力電極２２）に第２入力信号（Ｉｎｐｕｔ＿２）を供給し、上記出力電極（２５）から出力信号（Ｏｕｔｐｕｔ＿２）を供給され、上記出力信号が上記制御目標と一致するように、上記第２入力信号を帰還制御する構成であってもよい。
【００７２】
上記構成によれば、第１入力電極は、共通電極の第１端部に電気的に接続されており、第２入力電極および出力電極は、共通電極の第２端部に電気的に接続されている。また、上記構成によれば、第１入力信号は制御目標と一致し、帰還回路は、出力信号が制御目標と一致するように、第２入力信号を帰還制御する。これらのため、共通電極の第１端部と第２端部との両方の電位が制御目標の電位に一致するように、第１入力信号と第２入力信号とが供給される。この一致によって、共通電極の電位を、共通電極全体にわたって制御目標の電位に保持することができる。
【００７３】
本発明の態様５に係るアクティブマトリックス基板（４０）は、上記態様２または３において、上記額縁領域（２０）には帰還回路（３０）が実装されており、上記帰還回路は、上記第１入力電極（下側入力電極２１）に第１入力信号（Ｉｎｐｕｔ＿１）を、上記第１入力信号が制御目標（目標波形Ｌ＿１）と一致するように、供給し、上記第２入力電極（上側入力電極２２）に第２入力信号（Ｉｎｐｕｔ＿２）を供給し、上記出力電極（２５）から出力信号（Ｏｕｔｐｕｔ＿２）を供給され、上記出力信号が制御目標と一致するように、上記第２入力信号を帰還制御し、上記第３入力電極（左側入力電極２３）に第３入力信号（Ｉｎｐｕｔ＿３）を、上記第３入力信号が上記第３入力電極において上記制御目標と一致するように、供給する構成であってもよい。
【００７４】
上記構成によれば、共通電極の第１端部と第２端部との両方の電位が制御目標の電位に一致するように、第１入力信号と第２入力信号とが供給される。この一致によって、共通電極の電位を、共通電極全体にわたって制御目標の電位に保持することができる。
【００７５】
上記構成によれば、さらに、第３入力電極は、共通電極の第３端部に電気的に接続されており、第３入力信号は、第３入力電極において制御目標と一致する。すなわち、帰還回路は、第３入力電極までの配線抵抗などによる減衰後の第３入力信号が、制御目標と一致するように、制御目標よりも増幅した信号を第３信号として供給する。このような増幅によって、配線抵抗などによる減衰が、共通電極の電位の制御に影響しなくなる。したがって、共通電極の電位を、共通電極全体にわたって制御目標の電位により容易に保持することができる。
【００７６】
本発明の態様６に係るアクティブマトリックス基板（４０）は、上記態様４または５において、上記帰還回路（３０）が実装される上記額縁領域（２０）の部分領域（帰還回路実装領域３１）と、上記共通電極（２）の上記第２端部（上側端部）と、の間に、上記共通電極の上記第１端部（下側端部）が位置する構成が好ましい。
【００７７】
上記構成によれば、帰還回路３０から各入力電極の配線距離は、第１入力電極までの配線距離が最も短く、第２入力電極までの配線距離が最も長い。このため、共通電極の第２端部は、端部のうちで、電位が最も制御目標から外れやすいので、帰還制御が最も有益である。したがって、帰還制御による共通電極の電位の制御効率が高い。
【００７８】
本発明の態様７に係る表示装置（１００）は、上記態様１〜６の何れかのアクティブマトリックス基板（４０）と、対向基板と、上記アクティブマトリックス基板と対向基板との間に挟持された液晶と、を備える構成であってよい。
【００７９】
上記構成によれば、アクティブマトリックス基板の共通電極の電位が安定的に保持されるので、表示装置の画素を駆動する駆動電圧も安定的になり、グリーニッシュモードが発生し難い表示装置を実現することができる。
【００８０】
本発明の態様８に係る制御方法は、上記態様１〜３の何れか１かにおけるアクティブマトリックス基板（４０）を制御するための制御方法であって、上記第１入力電極（下側入力電極２１）に第１入力信号（Ｉｎｐｕｔ＿１）を、上記第１入力信号が制御目標（Ｌ＿１）と一致するように、供給し、上記第２入力電極（上側入力電極２２）に第２入力信号（Ｉｎｐｕｔ＿２）を供給し、上記出力電極（２５）から出力信号（Ｏｕｔｐｕｔ＿２）が供給され、上記出力信号が制御目標と一致するように、上記第２入力信号を帰還制御する方法であってよい。
【００８１】
上記方法によれば、態様５と同様に、共通電極の電位を、共通電極全体にわたって制御目標の電位に保持することができる。
【００８２】
本発明の態様９に係る制御方法は、上記態様２〜３の何れか１かにおけるアクティブマトリックス基板（４０）を制御するための制御方法であって、上記第１入力電極（下側入力電極２１）に第１入力信号（Ｉｎｐｕｔ＿１）を、上記第１入力信号が制御目標（Ｌ＿１）と一致するように、供給し、上記第２入力電極（上側入力電極２２）に第２入力信号（Ｉｎｐｕｔ＿２）を供給し、上記出力電極（２５）から出力信号（Ｏｕｔｐｕｔ＿２）が供給され、上記出力信号が制御目標と一致するように、上記第２入力信号を帰還制御し、上記第３入力電極（左側入力電極２３）に第３入力信号（Ｉｎｐｕｔ＿３）を、上記第３入力信号が上記第３入力電極において上記制御目標（目標波形Ｌ＿１）と一致するように、供給する方法であってよい。
【００８３】
上記方法によれば、態様６と同様に、共通電極の電位を、共通電極全体にわたって制御目標の電位により容易に保持することができる。
【００８４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８５】
１、１０１  絶縁基板
２、１０２  共通電極
３、１０３  表示領域
４、１０４  上側入力配線
６、１０６  左側入力配線
７、１０７  右側入力配線
８，１０８  下側入力配線
９、１０９  出力配線
１０、１１０  上側入力端子
１１、１１１  出力端子
１２、１１２  左側入力端子
１３、１１３  右側入力端子
１４、１１４  下側入力端子
２０、１２０  額縁領域
２１、１２１  下側入力電極（第１入力電極）
２２、１２２  上側入力電極（第２入力電極）
２３、１２３  左側入力電極（第３入力電極）
２４、１２４  右側入力電極（第４入力電極）
２５、１２５  出力電極
３０  帰還回路
３１、１３１  帰還回路実装領域（額縁領域の部分領域）
４０、１４０  アクティブマトリックス基板
１００  液晶表示装置（表示装置）
Ｇ  走査信号線
Ｉｎｐｕｔ＿１  第１入力信号
Ｉｎｐｕｔ＿２  第２入力信号
Ｉｎｐｕｔ＿３  第３入力信号
Ｉｎｐｕｔ＿４  第４入力信号
Ｌ＿１  目標波形（制御目標）
Ｌ＿２  変動波形
Ｌ＿３  逆変動波形
Ｌ＿４  増幅波形
Ｏｕｔｐｕｔ＿１  第１出力信号
Ｏｕｔｐｕｔ＿２  第２出力信号（出力信号）
Ｓ  データ信号線
【図１】
2019090939.tif 000003
【図２】
2019090939.tif 000004
【図３】
2019090939.tif 000005
【図４】
2019090939.tif 000006
【図５】
2019090939.tif 000007
【図６】
2019090939.tif 000008
【図７】
2019090939.tif 000009